(57)【要約】【課題】垂直に設置した３本の母線バーのうち任意の２本と接続する２極式の配線用遮断器をベース部の表面に搭載できるプラグインアダプタを提供する。【解決手段】垂直に設置した３本の母線バーのうち任意の２本と接続する２極式の配線用遮断器２をベース部３の表面に搭載したプラグインアダプタであって、ベース部３の裏面に配設した２個のプラグイン端子４を前記配線用遮断器２の２極の端子部と被覆より線５で接続し、この２個のプラグイン端子４を任意の２本の母線バーに対して垂直方向から接続できるようにベース部３の裏面に設けた３本の母線バーに対応する３個のホルダー部６の２個に水平方向から着脱自在に取り付けできるものとする。【選択図】  図１
2006107915.tif 000002
【特許請求の範囲】
【請求項１】
垂直に設置した３本の母線バーのうち任意の２本と接続する２極式の配線用遮断器をベース部の表面に搭載したプラグインアダプタであって、ベース部の裏面に配設した２個のプラグイン端子を前記配線用遮断器の２極の端子部と被覆より線で接続し、この２個のプラグイン端子を任意の２本の母線バーに対して垂直方向から接続できるようにベース部の裏面に設けた３本の母線バーに対応する３個のホルダー部の２個に水平方向から着脱自在に取り付けできるものとしたことを特徴とするプラグインアダプタ。
【請求項２】
ベース部の下端周縁に四辺の絶縁隔壁を垂設して、該絶縁隔壁のうち少なくとも一辺を開放可能とした請求項１に記載のプラグインアダプタ。
【請求項３】
絶縁隔壁のうち少なくとも一辺を着脱自在することにより開放可能とした請求項２に記載のプラグインアダプタ。
【請求項４】
着脱自在とした絶縁隔壁にベース部の裏面に臨むサブベース部を連設して、該サブベース部に３個のホルダー部に対応する窓孔部を設けた請求項３に記載のプラグインアダプタ。
【請求項５】
着脱自在とした絶縁隔壁にベース部の裏面に臨むサブベース部を被覆より線の絶縁壁に形成した請求項３に記載のプラグインアダプタ。
【請求項６】
絶縁隔壁を透明とした請求項３に記載のプラグインアダプタ。
【請求項７】
垂直に設置した３本の母線バーのうち任意の２本と接続する２極式の配線用遮断器をベース部の表面に搭載したプラグインアダプタであって、ベース部の裏面に設けた３本の母線バーに対応する３個のプラグイン端子に前記配線用遮断器の２極の端子部とそれぞれ接続した２本の被覆より線の端子部を任意の２個のプラグイン端子に切替可能に接続したことを特徴とするプラグインアダプタ。
【請求項８】
垂直に設置した３本の母線バーのうち任意の２本と接続する２極式の配線用遮断器をベース部の表面に搭載したプラグインアダプタであって、ベース部の裏面に設けた３本の母線バーに対応する３個のプラグイン端子に前記配線用遮断器の２極の端子部とそれぞれ接続した２本の導電バーを任意の２個のプラグイン端子とを切替導電バーにより切替可能に接続したことを特徴とするプラグインアダプタ。
【発明の詳細な説明】
【技術分野】
【０００１】
本発明は、ベース部の表面に配線用遮断器を搭載したプラグインアダプタに関するものである。
【背景技術】
【０００２】
ベース部の表面に配線用遮断器を搭載したプラグインアダプタは垂直に設置した３本の母線バーに対してプラグイン端子を母線バーの上方からワンタッチで差し込みできることから広く使用されている。（例えば、特許文献１参照）
【特許文献１】特開平５−３０８７０５号公報
【発明の開示】
【発明が解決しようとする課題】
【０００３】
ところが、このようなものは３本の母線バーと接続する３極式の配線用遮断器を搭載したものが普通であるため、２極式の配線用遮断器を搭載した場合に対応できないものであり、そのため３極式の配線用遮断器の１極を中抜きして２極用として対応している。そこで、垂直に設置した３本の母線バーのうち任意の２本と接続する２極式の配線用遮断器をベース部の表面に搭載できるプラグインアダプタが待望されている。
【課題を解決するための手段】
【０００４】
前記ような待望に応えるためになされた本発明のプラグインアダプタは、垂直に設置した３本の母線バーのうち任意の２本と接続する２極式の配線用遮断器をベース部の表面に搭載したプラグインアダプタであって、ベース部の裏面に配設した２個のプラグイン端子を前記配線用遮断器の２極の端子部と被覆より線で接続し、この２個のプラグイン端子を任意の２本の母線バーに対して垂直方向から接続できるようにベース部の裏面に設けた３本の母線バーに対応する３個のホルダー部の２個に水平方向から着脱自在に取り付けできるものとしたものを請求項１に記載の発明とする。
【０００５】
そして、この発明において、ベース部の下端周縁の四辺に絶縁隔壁を垂設して、該絶縁隔壁のうち少なくとも一辺を開放可能としたものを請求項２に記載の発明とし、この請求項２に記載の発明において、絶縁隔壁のうち少なくとも一辺を着脱自在することにより開放可能としたものを請求項３に記載の発明とする。また、前記請求項３に記載の発明において、着脱自在とした絶縁隔壁にベース部の裏面に臨むサブベース部を連設して、該サブベース部に３個のホルダー部に対応する窓孔部を設けたものを請求項４に記載の発明とし、また、前記請求項３に記載の発明において、着脱自在とした絶縁隔壁にベース部の裏面に臨むサブベース部を被覆より線の絶縁壁に形成したものを請求項５に記載の発明とし、さらに、請求項３に記載の発明において、絶縁隔壁を透明としたものを請求項６に記載の発明とする。
【０００６】
また、垂直に設置した３本の母線バーのうち任意の２本と接続する２極式の配線用遮断器をベース部の表面に搭載したプラグインアダプタであって、ベース部の裏面に設けた３本の母線バーに対応する３個のプラグイン端子に前記配線用遮断器の２極の端子部とそれぞれ接続した２本の被覆より線の端子部を任意の２個のプラグイン端子に切替可能に接続したことを特徴とするものを請求項７に記載の発明とする。また、垂直に設置した３本の母線バーのうち任意の２本と接続する２極式の配線用遮断器をベース部の表面に搭載したプラグインアダプタであって、ベース部の裏面に設けた３本の母線バーに対応する３個のプラグイン端子に前記配線用遮断器の２極の端子部とそれぞれ接続した２本の導電バーを任意の２個のプラグイン端子とを切替導電バーにより切替可能に接続したことを特徴とするものを請求項８に記載の発明とする。
【発明の効果】
【０００７】
前記のような請求項１のように構成された発明においては、ベース部の裏面に配設した２個のプラグイン端子を、Ｒ、Ｓ、Ｔの３本の母線バーのうち任意の２本の母線バーと接続できるようにベース部の裏面に設けた３個のホルダー部に水平方向から着脱自在に取り付けできるものとしたものであるから、任意のホルダー部に取り付けた２個のプラグイン端子はＲ、Ｓ、Ｔの３本の母線バーに対応する任意の２本の母線バーと接続するので、該２個のプラグイン端子と被覆より線で接続した配線用遮断器の２極の端子部は任意の２本の母線バーと接続することとなるので、２極の端子部を（Ｒ、Ｓ）、（Ｓ、Ｔ）、（Ｒ、Ｔ）及びこれと逆パターンの（Ｓ、Ｒ）、（Ｔ、Ｓ）、（Ｔ、Ｒ）の配線を行うことができるものである。従って、単相三線回路の場合において負荷機器により電圧が１００Ｖ或いは２００Ｖであっても対応でき、また、電圧が１００Ｖの場合にあっても相バランスを崩すことのない配線ができる。また、三相三線回路においても相の組み合せが任意に行うことができるので配線用遮断器を使用できるものである。
【０００８】
また、請求項２の発明のようにベース部の下端周縁の四辺に絶縁隔壁を垂設して、該絶縁隔壁のうち少なくとも一辺を開放可能としたものとすれば、隣合うこととなる配線用遮断器を搭載したプラグインアダプタとのプラグイン端子との絶縁を確保できるものであることは勿論、プラグイン端子をホルダー部に水平方向から着脱自在に取り付けできるものとしているので、プラグイン端子をホルダー部に着脱する場合に少なくとも一辺を開放することにより、水平方向から着脱作業が容易となる。この一辺を開放可能とする手段として請求項３の発明のように着脱自在とすれば開放した箇所に絶縁隔壁が完全に取り除かれているので作業がより容易となる。
【０００９】
また、請求項４の発明のように、着脱自在とした絶縁隔壁にベース部の裏面に添うサブベース部を連設して、該サブベース部に３個のホルダー部を囲装する窓孔部を設けたものとすれば、該窓孔部がホルダー部に水平方向から着脱自在に取り付けたプラグイン端子の水平方向の動きを完全に規制することとなりプラグイン端子を所定の母線バーに接続することができるものである。また、請求項５に記載の発明のように、着脱自在とした絶縁隔壁にベース部の裏面に臨むサブベース部を被覆より線の絶縁壁に形成したものとすれば、被覆より線の被覆が剥けても母線バーやその他の充電部との絶縁を確保できる。さらに、請求項６に記載の発明のように、絶縁隔壁を透明としたものとすれば、プラグイン端子がどの相の母線バーに差し込みされているのか、また、被覆より線を透明とした絶縁隔壁を介して辿ることで配線用遮断器のどちらかの極と接続されているかを確認できるものである。
【００１０】
また、請求項７に記載の発明は、ベース部の裏面に設けた３本の母線バーに対応する３個のプラグイン端子に配線用遮断器の２極の端子部とそれぞれ接続した２本の被覆より線の端子部を任意の２個のプラグイン端子に切替可能に接続したものであるから、２本の被覆より線の端子部はＲ、Ｓ、Ｔの３本の母線バーに対応する３個のプラグイン端子のうち任意の２個のプラグイン端子と接続するので、該２個のプラグイン端子と被覆より線で接続した配線用遮断器の２極の端子部は任意の２本の母線バーと接続することとなるので、２極の端子部を（Ｒ、Ｓ）、（Ｓ、Ｔ）、（Ｒ、Ｔ）及びこれと逆パターンの（Ｓ、Ｒ）、（Ｔ、Ｓ）、（Ｔ、Ｒ）の配線を行うことができるものである。従って、単相三線回路の場合において負荷機器により電圧が１００Ｖ或いは２００Ｖであっても対応でき、また、電圧が１００Ｖの場合にあっても相バランスを崩すことのない配線ができる。また、三相三線回路においても相の組み合せが任意に行うことができるので２極の配線用遮断器を使用できるものである。
【００１１】
また、請求項８に記載の発明は、ベース部の裏面に設けた３本の母線バーに対応する３個のプラグイン端子に配線用遮断器の２極の端子部とそれぞれ接続した２本の導電バーを任意の２個のプラグイン端子とを切替導電バーにより切替可能に接続したものであるから、２本の導電バーは切替導電バーの切替によりＲ、Ｓ、Ｔの３本の母線バーに対応する３個のプラグイン端子のうち任意の２個のプラグイン端子と接続するので、該２個のプラグイン端子と接続した配線用遮断器の２極の端子部は任意の２本の母線バーと接続することとなるので、２極の端子部を（Ｒ、Ｓ）、（Ｓ、Ｔ）、（Ｒ、Ｔ）及びこれと逆パターンの（Ｓ、Ｒ）、（Ｔ、Ｓ）、（Ｔ、Ｒ）の配線を行うことができるものである。従って、単相三線回路の場合において負荷機器により電圧が１００Ｖ或いは２００Ｖであっても対応でき、また、電圧が１００Ｖの場合にあっても相バランスを崩すことのない配線ができる。また、三相三線回路においても相の組み合せが任意に行うことができるので２極の配線用遮断器を使用できるものである。
【発明を実施するための最良の形態】
【００１２】
次に、本発明の好ましい実施の形態を図面に基づき説明する。
【００１３】
〔第１の実施形態〕
先ず、請求項１から請求項６に記載の発明に対応する第１の実施形態について図１〜図１４を参照して説明する。
図１において、１はプラグインアダプタ、２は該プラグインアダプタ１のベース部３の表面に搭載した２極式の配線用遮断器であり、該２極式の配線用遮断器は図１１に示すように垂直に設置した３本の母線バー１０のうち任意の２本と接続するものである。なお、ベース部３の左右両側には図１１に示す３本の母線バー１０の両側に配置したプラグインアダプタ固定レール２０への取付片部３ａが張設されている。また、配線用遮断器２とベース部３の表面との間に必要に応じて補助基台３０を介在させている。
【００１４】
４、４はベース部３の裏面に配設した前記配線用遮断器２の電源側の２極の端子部２１、２１と被覆より線５で接続した２個のプラグイン端子である。また、配線用遮断器２を逆接続として用いる場合には被覆より線５は配線用遮断器２の負荷側の２極の端子部２１、２１に接続することとなる。この２個のプラグイン端子４、４は任意の２本の母線バーと接続できるようにベース部３の裏面に設けた３本の母線バー１０に対応する３個のホルダー部６にベース部３の裏面に沿う水平方向から着脱自在に取り付けできるものとしている。これにより、プラグイン端子４が母線バー１０に対して垂直方向から係脱しても該プラグイン端子４がホルダー部６から離脱する虞のないものである。また、ベース部３の裏面から被覆より線５が出るより線通し孔は中央のホルダー部６の近傍に設けてあるので、２個のプラグ端子４、４は３個のホルダー部６のいずれの箇所にも取り付けでき被覆より線５の長さを最短で足りるものである。
【００１５】
なお、プラグイン端子４をホルダー部６に水平方向から着脱自在とする手段としては、図１、図２及び図３に示すものはプラグイン端子４を上板部４１の左右両側下方に内向きにく字状に屈曲させた挟持片４２、４２を折曲形成させたばね板材に割形リングばね４３を両挟持片４２、４２の上部を貫通させたうえその両端を両挟持片４２、４２の下部外面に当接させて内側に弾発させたものとし、また、ホルダー部６は、ベース部３の下面にコ字型の枠板部６１を開口６２がベース部３の前後方向の一方を臨むように垂設するとともに前記プラグイン端子４の上板部４１が開口６２から水平方向に挿入した際に該上板部４１の下面を保持する支片部６１ａを開口６２と対向位置にある後板部６１ｂに内向き水平に張設したものである。なお、前記支片部６１ａと左右側板部６１ｃ、６１ｃとの間にプラグイン端子４の両挟持片４２、４２の基端が挿通できる間隙を形成させ、また、少なくと一方の側板部６１ｃに先端から前記被覆より線５を挟持する切欠状の保持部６３を設けている。
【００１６】
このようなものにあって、プラグイン端子４をホルダー部６に取り付けるのには、プラグイン端子４の上板部４１の上面をベース部３の裏面に当接させたうえホルダー部６のコ字型の枠板部６１に開口６２から嵌合すれば、上板部４１の下面は支片部６１ａに保持されるとともにホルダー部６の左右と後部が枠板部６１に囲まれ、また、被覆より線５がその被覆の持つ弾性により保持部６３に強く挟持されて開口６２から抜け出ることなく該プラグイン端子４はホルダー部６に確実に取り付けできるものである。また、プラグイン端子４が開口６２から若干抜け出ても母線バー１０との位置決めは左右方向がコ字型の枠板部６１により規制されているので問題が生じないものである。
【００１７】
プラグイン端子４をホルダー部６から取り外す場合には、図４の（Ａ）、（Ｂ）、（Ｃ）の手順のように、プラグイン端子４を開口６２から水平に引き抜くことにより容易に取り外すことができるものである。
【００１８】
また、プラグイン端子４をホルダー部６に水平方向から着脱自在とする手段としては、図７、図８及び図９に示すものはプラグイン端子４を上板部４１の左右両側下方に内向きにく字状に屈曲させた挟持片４２、４２を折曲形成するとともに割形リングばね４３を両挟持片４２、４２の上部を貫通させたうえ両端を両挟持片４２、４２の下部外面に当接させて内側に弾発させたものとしたうえ上板部４１の上面に該上板部４１の前後端より張出する係止片部４４ａ、４４ａを形成する副上板部４４を一体としたものであり、また、ホルダー部６は、ベース部３の下面に前記係止片部４４ａ、４４ａが係合する横溝６５ａ、６５ａ付のレール部６５、６５を横溝６５ａ同士が対向するように設けたうえ該レール部６５、６５の基端側にストッパー部６５ｂを、また、レール部６５、６５の先端側にベース部３の裏面に一端を脚部６６ａで取り付けた水平の抜止片６６を該ベース部３の裏面側に向け脚部６６ａを起点に撓む弾性のあるものとして設けたものである。
【００１９】
このようなものにあって、プラグイン端子４をホルダー部６に取り付けるのには、プラグイン端子４の副上板部４１の上面をもって抜止片６６をベース部２側に押圧して係止片部４４ａ、４４ａの先端がレール部６５、６５の横溝６５ａ、６５ａの先端に係合させて、その後にプラグイン端子４をレール部６５の基端側に水平移動させれば係止片部４４ａ、４４ａの先端側はレール部６５、６５の基端側のストッパー部６５ｂにより移動を規制されてレール部６５に完全に係合されるとともに副上板部４４の上面による抜止片６６の押圧を解除されるので該抜止片６６が旧状に復帰して抜止片６６側に位置するプラグイン端子４の一方の挟持片４２の基端外面を当接して該プラグイン端子４はホルダー部６に確実に取り付けできるものである。
【００２０】
プラグイン端子４をホルダー部６から取り外す場合には、抜止片６６に押圧したうえプラグイン端子４をレール部６５、６５の先端側に水平移動させれば係止片部４４ａ、４４ａのレール部６５、６５への係合が解除されて取り外すことができるものである。
【００２１】
このように母線バー１０に対して垂直方向から接続するようにベース部３の裏面に配設した２個のプラグイン端子４を、Ｒ、Ｓ、Ｔの３本の母線バー１０のうち任意の２本の母線バー１０と接続できるようにベース部２の裏面に設けた３個のホルダー部６に水平方向から着脱自在に取り付けできるものであるから、任意のホルダー部６に取り付けた２個のプラグイン端子４はＲ、Ｓ、Ｔの３本の母線バー１０のうち任意の２本の母線バー１０と接続することができる。具体的には、図２、図１１、図１２に示すように２個のプラグイン端子４をＲ、Ｓの母線バー１０に接続できるホルダー部６に、図１、図１３に示すように２個のプラグイン端子４をＲ、Ｔの母線バー１０に接続できるホルダー部６に取り付けをしたものを例示する。
【００２２】
これにより２個のプラグイン端子４と被覆より線５で接続した配線用遮断器２の２極の端子部２１は任意の２本の母線バー１０と接続することとなるので、２極の端子部を（Ｒ、Ｓ）、（Ｓ、Ｔ）、（Ｒ、Ｔ）及びこれと逆パターンの（Ｓ、Ｒ）、（Ｔ、Ｓ）、（Ｔ、Ｒ）の配線を行うことができるものである。例えば、図１４に示す「相及び電圧切替時のプラグ配置図」のようなパターンで配線ができるものである。従って、単相三線回路の場合において負荷機器により電圧が１００Ｖ或いは２００Ｖであっても対応でき、また、電圧が１００Ｖの場合にあっても相バランスを崩すことのない配線ができる。また、三相三線回路においても相の組み合せが任意に行うことができるので２極の配線用遮断器を使用できるものである。
【００２３】
また、図１及び図２に示すようにベース部３の下端周縁に四辺の絶縁隔壁７を垂設して、該絶縁隔壁７のうち少なくとも一辺すなわち前後の絶縁隔壁７ａの一方を開放可能としている。これにより隣合うこととなる配線用遮断器を搭載したプラグインアダプタのプラグイン端子との絶縁を確保できるものである。そして、プラグイン端子４をホルダー部６に水平方向から着脱自在に取り付けできるものとしているので、プラグイン端子４をホルダー部６に着脱する場合に少なくとも一辺を開放することにより、水平方向から着脱作業が容易となる。なお、絶縁隔壁７の全てを開放できるものとしても着脱自在なものとしてもよい。この他にも蝶番式に開放できるものとしてもよい。
【００２４】
なお、この少なくとも一辺を開放可能とする手段としては、図示のように着脱自在なものとすることにより開放した箇所に絶縁隔壁７が完全に取り除かれているのでプラグイン端子４をホルダー部６に水平方向から着脱する作業がより容易となる。
【００２５】
また、図１及び図２に示すように、着脱自在とした絶縁隔壁７にベース部３の裏面に添うサブベース部７１を連設して、該サブベース部７１に３個のホルダー部６を囲装する窓孔部７１ａを設けたものとすれば、該窓孔部７１ａがホルダー部６に水平方向から着脱自在に取り付けたプラグイン端子４の水平方向の動きを完全に規制することとなりプラグイン端子４を所定の母線バー１０に接続できるものである。また、前記サブベース部７１を被覆より線５の絶縁壁に形成したものとすれば、被覆より線５の被覆が剥けたり、ベース部３に設けた係止爪３１から外れても母線バー１０やその他の充電部との絶縁を確保できる。なお、図示のものは着脱自在とした絶縁隔壁７にサブベース部７１のみならず左右のサブ絶縁隔壁７２、７２を一体に設け、強度を向上させたものである。
【００２６】
さらに、絶縁隔壁７を透明としてあるのでプラグイン端子４がどの相の母線バーに差し込みされているのか、また、被覆より線５を透明とした絶縁隔壁７及び配線用遮断器２の端子カバー２２を介して辿ることで配線用遮断器２のどちらかの極と接続されているかを確認できるものである。これに加えて、図４の（Ａ）に示すように２本の被覆より線５を例えば赤（図においては「格子模様」で表示）と青（図においては「斜線模様」で表示）のごとく色違いとしておけば、この色違いを識別することにより確認が容易にできるものである。なお、透明とした絶縁隔壁７に拡大鏡の機能を付与したものとすれば、プラグインアダプタの側面に図１４に示す「相及び電圧切替時のプラグ配置図」をスペースの関係から極めて小さく表示しても、絶縁隔壁７を取り外し拡大鏡の機能を利用することにより明確に表示内容を知ることができ配線作業の間違いを防止できるものである。
【００２７】
〔第２の実施形態〕
続いて、請求項７に記載の発明に対応する第２の実施形態について図１５〜図１６を参照して説明する。
【００２８】
１はプラグインアダプタであり、該プラグインアダプタ１のベース部３の表面には図示を略したが前記第１の実施形態の図１に示したと同じ２極式の配線用遮断器２が搭載されている。この２極式の配線用遮断器は前記図９に示すと同様に垂直に設置した３本の母線バー１０のうち任意の２本と接続するものである。
【００２９】
４、４、４はベース部３の裏面に固定させて設けた３本の母線バー１０に対応する３個のプラグイン端子であり、この３個のプラグイン端子４のうち任意の２個は前記配線用遮断器の２極の端子部とそれぞれ接続した２本の被覆より線５、５の端子部５ａとプラグイン端子４の取付用導電ベース４ａにねじ止めにより切替可能に接続できるものとしている。  
【００３０】
このようにベース部３の裏面に設けた３本の母線バー１０に対応する３個のプラグイン端子４に配線用遮断器の２極の端子部とそれぞれ接続した２本の被覆より線５の端子部５ａを任意の２個のプラグイン端子４に切替可能に接続したものであるから、２本の被覆より線５の端子部５ａはＲ、Ｓ、Ｔの３本の母線バー１０に対応する３個のプラグイン端子４のうち任意の２個のプラグイン端子４と接続するので、該２個のプラグイン端子４と被覆より線５で接続した配線用遮断器の２極の端子部は任意の２本の母線バー１０と接続することとなるので、配線用遮断器の２極の端子部を（Ｒ、Ｓ）、（Ｓ、Ｔ）、（Ｒ、Ｔ）及びこれと逆パターンの（Ｓ、Ｒ）、（Ｔ、Ｓ）、（Ｔ、Ｒ）の配線を行うことができるものである。従って、単相三線回路の場合において負荷機器により電圧が１００Ｖ或いは２００Ｖであっても対応でき、また、電圧が１００Ｖの場合にあっても相バランスを崩すことのない配線ができる。また、三相三線回路においても相の組み合せが任意に行うことができるので２極の配線用遮断器を使用できるものである。
【００３１】
〔第３の実施形態〕
続いて、請求項８に記載の発明に対応する第３の実施形態について図１７〜図２０を参照して説明する。
【００３２】
１はプラグインアダプタであり、該プラグインアダプタ１のベース部３の表面には図示を略したが前記第１の実施形態の図１に示したと同じ２極式の配線用遮断器２が搭載されている。この２極式の配線用遮断器は前記図１１に示すと同様に垂直に設置した３本の母線バー１０のうち任意の２本と接続するものである。
【００３３】
４、４、４はベース部３の裏面に固定して設けた３本の母線バー１０に対応する３個のプラグイン端子であり、この３個のプラグイン端子４のうち任意の２個は前記配線用遮断器の２極の端子部とそれぞれ接続してベース部３の裏面に引き回した２本の導電バー８と切替導電バー９により切替可能に接続したものである。２本の導電バー８はベース部３の前後辺側にそれぞれ各プラグイン端子４と絶縁を確保してプラグイン端子４の取付用導電ベース４ａよりベース部３側に配置してその一部を取付用導電ベース４ａの間から露出するものとして、導電バー８の露出部８ａと取付用導電ベース４ａとの間を切替導電バー９をねじ止めして切替可能に接続している。なお、図１７、図１８に示すものは取付用導電ベース４ａに切替導電バー９を接続するためのねじ孔を前後にそれぞれ左右側に２個配置してこれを選択することにより小さな切替導電バー９で切替可能としている。図１９、図２０に示すものは取付用導電ベース４ａに切替導電バー９を接続するためのねじ孔を前後の中央それぞれ１個配置して大きな切替導電バー９で切替可能としている。
【００３４】
このように、２本の導電バー８は切替導電バー９の切替によりＲ、Ｓ、Ｔの３本の母線バー１０に対応する３個のプラグイン端子４のうち任意の２個のプラグイン端子４と接続するので、２本の導電バー８と接続している配線用遮断器の２極の端子部は任意の２本の母線バーと接続することとなるので、２極の端子部を（Ｒ、Ｓ）、（Ｓ、Ｔ）、（Ｒ、Ｔ）及びこれと逆パターンの（Ｓ、Ｒ）、（Ｔ、Ｓ）、（Ｔ、Ｒ）の配線を行うことができるものである。従って、単相三線回路の場合において負荷機器により電圧が１００Ｖ或いは２００Ｖであっても対応でき、また、電圧が１００Ｖの場合にあっても相バランスを崩すことのない配線ができる。また、三相三線回路においても相の組み合せが任意に行うことができるので２極の配線用遮断器を使用できるものである。
【図面の簡単な説明】
【００３５】
【図１】第１の実施形態を示す裏面斜視図である。
【図２】第１の実施形態を態様を異にして示す裏面斜視図である。
【図３】プラグイン端子とホルダー部の関係を示す裏面斜視図である。
【図４】プラグイン端子をホルダー部から取り外す手順を示す裏面図である。
【図５】第１の実施形態を示す裏面斜視図である。
【図６】第１の実施形態を示す斜視図である。
【図７】第１の実施形態の他例を示す裏面図である
【図８】第１の実施形態の他例を示す一部切欠斜視図である
【図９】第１の実施形態の他例のプラグイン端子とホルダー部の関係を示す裏面斜視図である。
【図１０】母線バーに取り付けた状態を示す斜視図である。
【図１１】母線バーに取り付けた状態を示す裏面斜視図である。
【図１２】母線バーに取り付けた状態を示す裏面図である。
【図１３】母線バーに取り付けた状態を異にして示す裏面図である。
【図１４】相及び電圧切替時のプラグ配置図である。
【図１５】第２の実施形態を示す裏面図である。
【図１６】第２の実施形態を態様を異にして示す裏面図である。
【図１７】第３の実施形態を示す裏面図である。
【図１８】第３の実施形態を態様を異にして示す裏面図である。
【図１９】第３の実施形態の他例を示す裏面図である。
【図２０】第３の実施形態の他例を態様を異にして示す裏面図である。
【符号の説明】
【００３６】
１  プラグインアダプタ
２  ２極式の配線用遮断器
３  ベース部
４  プラグイン端子
５  被覆より線
６  ホルダー部
７  絶縁隔壁
71  サブベース部
71a  窓孔部
８  導電バー
９  切替導電バー
10  母線バー
【図１】
2006107915.tif 000003
【図２】
2006107915.tif 000004
【図３】
2006107915.tif 000005
【図４】
2006107915.tif 000006
【図５】
2006107915.tif 000007
【図６】
2006107915.tif 000008
【図７】
2006107915.tif 000009
【図８】
2006107915.tif 000010
【図９】
2006107915.tif 000011
【図１０】
2006107915.tif 000012
【図１１】
2006107915.tif 000013
【図１２】
2006107915.tif 000014
【図１３】
2006107915.tif 000015
【図１４】
2006107915.tif 000016
【図１５】
2006107915.tif 000017
【図１６】
2006107915.tif 000018
【図１７】
2006107915.tif 000019
【図１８】
2006107915.tif 000020
【図１９】
2006107915.tif 000021
【図２０】
2006107915.tif 000022